(57)【特許請求の範囲】
【請求項１】
主面、背面、側面、底部を有する筐体と、この筐体の背面の底部方向側に脱着可能に取り付けられる電池蓋とを備えた携帯端末であって、
前記筐体の背面にスピーカ孔を穿設し、
前記電池蓋は、前記背面とほぼ同一平面上にある表面部と、周辺の前記表面部の一部を一旦へこませてその中から突起が前記背面より突出している電池蓋を脱着するための指掛け部とを有し、
前記主面上で、前記指掛け部と前記底部との間の部分に配置された押下部を有する複数のキーからなるキー操作部とを備え、
全ての前記キーの押下部の少なくとも一部が前記指掛け部の端部と前記底部の端部との間で形成される台形の内側部分になるように配置される
ことを特徴とする携帯端末。
【発明の詳細な説明】
【技術分野】
【０００１】
本発明は、スピーカを背面側に備える携帯端末に関するものである。
【背景技術】
【０００２】
携帯電話機等の携帯端末では、背面側にスピーカが設けられることが多い。また、これらの携帯端末は背面側が机上に置かれて使用されることも多い。その場合、背面側のスピーカ部分と机の間に隙間ができる構造としてあり、その隙間からスピーカの音圧がふさがれることなく出力して、回りの人は着信音などを確実に聞くことができるようになっている。
【０００３】
このような隙間ができる構造を有する携帯端末機器がある（例えば、特許文献１参照。）。この特許文献１の図１〜図３の携帯端末機器では、背面側のスピーカ６の近傍に、凸部１３が２箇所設けられ、その凸部１３により背面側が浮き上がり、スピーカ用孔７がふさがらないようになっている。また、図４〜図７の携帯端末機器では、背面側のスピーカ６の近傍に、アンテナ収納凸部９と突起１０とが設けられて背面側が浮き上がり、スピーカ用孔７がふさがらないようになっている。
【特許文献１】特開２００５−９４６３１号公報（頁２、頁５、図１〜図７）
【発明の開示】
【発明が解決しようとする課題】
【０００４】
特許文献１の携帯端末機器では、隙間を作るための専用部分として、２個の凸部１３や突起１０を設ける必要があり、コスト増加となる。また、２個の凸部１３や突起１０は目立ちやすく、デザイン上の問題ともなる。
【０００５】
本発明は、スピーカ出力をふさがないように隙間を作るために、専用の凸部を設けることなく、隙間ができる構造を有する携帯端末を提供することを目的とする。
【課題を解決するための手段】
【０００６】
上記目的を達成するために、本発明の携帯端末は、主面、背面、側面を有する筐体と、この筐体の背面側に脱着可能に取り付けられる電池蓋とを備えた携帯端末であって、前記筐体の背面にスピーカ孔を穿設し、前記電池蓋は、前記背面とほぼ同一平面上にある表面部と、この表面部から突出し、電池蓋を脱着するための指掛け部とを有することを特徴とする。
【発明の効果】
【０００７】
本発明によれば、スピーカ出力をふさがないように隙間を作るための専用の凸部を設けることなく、隙間ができる構造とすることができる。
【発明を実施するための最良の形態】
【０００８】
図１は、本発明の実施例に係る一体式の携帯端末１００の構造図である。（Ａ）は携帯端末１００の主面図、（Ｂ）は携帯端末１００の側面図、（Ｃ）は携帯端末１００の背面図である。
【０００９】
携帯端末１００の筐体１は、主面２、背面３、側面４、頂部５、底部６を有する。主面２側に、マイク７、キー操作部８、表示部９、レシーバ１０を備える。また、携帯端末１００の重心は、重心位置１１のポイントにある。携帯端末１００は、背面３側の内部にスピーカ１２を備え、背面３にスピーカ孔１３が開けられている。
【００１０】
また、背面３側の内部には、図示しない電池が内蔵され、この電池を保持し、また、脱着可能な電池蓋１４が背面３側に設けられる。電池蓋１４の表面部１５は、背面３とほぼ同一平面上にある。この表面部１５の一部に電池蓋指掛け部１６が設けられる。電池蓋指掛け部１５は、突起形状であり、表面部１５より飛び出しており、したがって背面３よりも飛び出している。
【００１１】
重心位置１１は、電池蓋指掛け部１６より底部６側の方向になるように設計されている。したがって、携帯端末１００の背面３が机２００の方に向けて置かれた場合、電池蓋１４の底部６側方向の接触部１７の部分と電池蓋指掛け部１６とが机２００に接触して、携帯端末１００を支える構造となる。接触部１７は、略線状の線分として机２００と接触する。
【００１２】
したがって、携帯端末１００の頂部５側が浮き上がり、スピーカ孔１３と机２００との間に、隙間１５０ができ、スピーカ孔１３がふさがれることなく、スピーカ１２の音圧が減衰せずに外部に出力される。
【００１３】
内蔵の電池（不図示）の交換時には、使用者は、電池蓋１４の電池蓋指掛け部１５に指を掛けて、底部６の方向にスライドさせて、電池蓋１４を取り外して、電池交換を行う。
【００１４】
なお、接触部１７は、電池蓋１４上にあるとしたが、電池蓋１４の底部６方向への長さが短い場合などは、接触部１７は、背面３の底部６側の近辺に生じることになる。
【００１５】
このような構造であり、電池蓋１４の電池蓋指掛け部１６を利用して、スピーカ孔１３がふさがれることを防止することができ、新たに、突起部を設ける必要がない。
【００１６】
次に、携帯端末１００を机２００に置いたときの安定性について説明する。携帯端末１００が机２００と接触する箇所は、接触部１７と電池蓋指掛け部１６である。この接触部１７の線分の端部と電池蓋指掛け部１６の端部同士を結んだ仮想線を線分１８、線分１９とする。
【００１７】
この接触部１７、線分１８、線分１９、電池蓋指掛け部１６で台形部分が形成される。携帯端末１００の背面３が机２００の方に向けて置かれた状態で、使用者が携帯端末１００の主面２上のこの台形部分の内側を押す分には、携帯端末１００は机２００に対して安定して接触している。キー操作部８のほとんどは、この台形部分の内側に配置されており、キー操作部８を操作することで携帯端末１００がガタつくことはない。
【００１８】
台形部分の外側を押すと、携帯端末１００の頂部５側が浮き上がっているので、その部分が机２００側に押されて若干傾く。しかし、操作に伴うものではなく問題ない。
【００１９】
次に、携帯端末１００を机２００に置いたときの操作および視認性について説明する。使用者は、通常、キー操作部８を使用者側に向け、すなわち、（Ａ）の図を左９０度回転させた状態で、手前のキー操作部８の操作を行い、奥側の表示部９を見る。この表示部９側が若干浮き上がっているので、使用者にとってキー操作がし易く、また、表示部９も見易くなる。
【００２０】
本発明によれば、電池蓋１４の電池蓋指掛け部１６を利用して、スピーカ孔１３がふさがれることを防止することができ、新たに、突起部を設ける必要がない。また、電池蓋指掛け部１６と底部６との間に、キー操作部８および重心位置１１がくるように配置することにより、机に置いた状態でのキー操作がガタつくことなく安定している。また、表示部９側が若干浮き上がっているので、使用者にとってキー操作がし易く、また、表示部９も見易くなる。
【００２１】
また、電池蓋１４の電池蓋指掛け部１６の形状として、背面３とほぼ同一平面状の表面部１５から電池蓋指掛け部１６が直接飛び出る構造としたが、電池蓋指掛け部１６の周辺の表面部１５の一部を一旦へこませて、その中から突起が背面３より外側に出る形状であってもよい。
【００２２】
なお、携帯端末１００は、携帯電話機、ＰＨＳ、データ端末などに応用することができる。
【図面の簡単な説明】
【００２３】
【図１】本発明の実施例に係る一体式の携帯端末１００の構造図。
【符号の説明】
【００２４】
１  筐体
２  主面
３  背面
４  側面
５  頂部
６  底部
７  マイク
８  キー操作部
９  表示部
１０  レシーバ
１１  重心位置
１２  スピーカ
１３  スピーカ孔
１４  電池蓋
１５  表面部
１６  電池蓋指掛け部
１７  接触部
１８、１９  線分
１００  携帯端末
１５０  隙間
２００  机
【図１】
0005181842.tif 000002